(57)【要約】【課題】  無線通信部の電源を落とし、省電力化を図ること。【解決手段】  無線通信部１０６を駆動するための駆動電源の無線通信部への供給を制御する電源コントローラ１０５と、電源コントローラ１０５を制御する制御マイコン１０４は、レセプタクル１０１経由で送受信される拡張コマンドに基づいて、コンピュータが有する、受信する起動コマンドに応じて起動するか否かを示す設定情報、を取得し、設定情報が起動することを示している場合に、レセプタクル１０１経由で送受信されるコマンドに基づいてコンピュータが起動中であるか否かを判断し、起動中ではないと判断した場合に、電源コントローラ１０５に対して無線通信部１０６への駆動電源の供給を停止する制御部とを具備する。【選択図】    図２
2010154340.tif 000002
【特許請求の範囲】
【請求項１】
映像信号および音声信号が重畳されたＡＶ信号を入出力し、動作制御用の各種コマンドを入出力するためケーブルの一端が挿入されるレセプタクルと、
前記ＡＶ信号および前記各種コマンドの送受信を行う無線通信部と、
前記無線通信部を駆動するための駆動電源を前記無線通信部に供給する電源コントローラと、
前記電源コントローラを制御する制御部であって、前記制御部は、
前記レセプタクル経由で送受信される拡張コマンドに基づいて、電子機器が受信する起動コマンドに応じて当該電子機器が起動するか否かを示す設定情報を当該電子機器からを取得し、
前記設定情報が起動することを示している場合に、前記レセプタクル経由で送受信されるコマンドに基づいて前記電子機器が起動中であるか否かを判断し、起動中ではないと判断した場合に、前記電源コントローラに対して前記無線通信部への前記駆動電源の供給を停止する前記制御部と
を具備することを特徴とする無線通信装置。
【請求項２】
前記制御部が前記駆動電源の供給の停止を指示した後、
前記制御部は、
前記レセプタクル経由で送受信される各種コマンドに基づいて前記電子機器が各種コマンドを送受信できるか否かを判別し、
各種コマンドを送受信できないと判断した場合に、前記電源コントローラに対して前記無線通信部への前記駆動電源の供給を開始するように指示することを特徴とする請求項１に記載の無線通信装置。
【請求項３】
前記制御部は、
各種コマンドを送受信できると判断した場合に、前記起動コマンドに応じて前記電子機器が起動するか否かを示す設定情報を前記レセプタクル経由で送受信される前記拡張コマンドに基づいて検出し、
起動する設定になっていないことを検出した場合に、前記電源コントローラに対して前記無線通信部への前記駆動電源の供給を開始するように指示することを特徴とする請求項２に記載の無線通信装置。
【請求項４】
前記制御部は、
起動する設定になっていることを検出した場合に、前記レセプタクル経由で送受信されるコマンドに基づいて前記電子機器が起動中であるか否かを判断し、
起動中であると判断した場合に前記電源コントローラに対して前記無線通信部への前記駆動電源の供給を開始するように指示することを特徴とする請求項３に記載の無線通信装置。
【請求項５】
前記各種コマンドはＨＤＭＩ  ＣＥＣ規格によって規格化されているコマンドであり、前記拡張コマンド群はベンダ拡張コマンド（Vendor Specific Commands）であることを特徴とする請求項１乃至請求項４の何れか１項に記載の無線通信装置。
【請求項６】
無線通信装置に接続される電子機器であって、
映像信号および音声信号が重畳されたＡＶ信号を入出力し、動作制御用の各種コマンドを入出力するためケーブルの一端が挿入されるレセプタクルと、
前記レセプタクル経由で受信する起動コマンドに応じて起動するか否かを示す設定情報が格納されている記憶装置と、
前記レセプタクル経由で受信する第１メッセージに応じて、前記設定情報を前記第１メッセージの送信元に第２メッセージを用いて送信し、
前記レセプタクル経由で受信する前記電子機器の電源状態を確認するためのメッセージに応じて、当該電子機器の電源状態を示すメッセージを送信することを特徴とする電子機器。
【請求項７】
前記各種コマンドはＨＤＭＩ  ＣＥＣ規格によって規格化されているコマンドであり、前記第１メッセージおよび前記第２メッセージはベンダ拡張コマンド（Vendor Specific Commands）であることを特徴とする請求項６に記載の電子機器。
【請求項８】
電子機器が出力する映像信号および音声信号が重畳されたＡＶ信号を第１無線通信装置が無線通信によって送信し、送信された信号を受信した第２無線通信装置が当該ＡＶ信号を表示装置に出力する無線通信システムであって、
前記第１無線通信装置は、
前記ＡＶ信号が入力され、動作制御用の各種コマンドを入出力するため第１ケーブルの一端が挿入される第１レセプタクルと、
前記ＡＶ信号の送信および前記各種コマンドの送受信を行う第１無線通信部と、
前記無線通信部を駆動するための駆動電源を前記無線通信部に供給する電源コントローラと、
前記電源コントローラを制御する制御部であって、前記第１レセプタクル経由で送信する第１メッセージに基づいて前記電子機器が送信する、当該電子機器が受信する起動コマンドに応じて当該電子機器が起動するか否かを示す第２メッセージを取得し、前記第２メッセージが起動することを示している場合に、前記第１レセプタクル経由で送受信されるコマンドに基づいて前記電子機器が起動中であるか否かを判断し、起動中ではないと判断した場合に、前記電源コントローラに対して前記無線通信部への前記駆動電源の供給を停止する制御部と
を具備し、
前記電子機器は、
前記ＡＶ信号を出力し、動作制御用の各種コマンドを入出力するための前記第１ケーブルの他端が挿入される第２レセプタクルと、
前記第２レセプタクルで受信する起動コマンドに応じて起動するか否かを示す設定情報が格納されている記憶装置と、
前記第２レセプタクル経由で各種コマンドを入出力するための制御部であって、
前記第２レセプタクル経由で受信する第１メッセージに応じて、前記設定情報を前記第１メッセージの送信元に第２メッセージを用いて送信し、
前記第２レセプタクル経由で受信する当該電子機器の電源状態を確認するためのコマンドに応じて、当該電子機器の電源状態を示すコマンドを用いて送信する制御部と
を具備し、
前記第２無線通信装置は
前記ＡＶ信号の受信および前記各種コマンドの送受信を行う第２無線通信部と、
前記ＡＶ信号を出力し、前記各種コマンドを入出力するための第２ケーブルの一端が挿入される第３レセプタクルと
を具備し、
前記表示装置は
前記ＡＶ信号が入力され、前記起動コマンドの出力、および前記各種コマンドを入出力するための前記第２ケーブルの他端が挿入される第４レセプタクルと、
前記ＡＶ信号に含まれる映像信号に応じた動画像を表示する表示画面と
を具備することを特徴とする無線通信システム。
【請求項９】
前記各種コマンドはＨＤＭＩ  ＣＥＣ規格によって規格化されているコマンドであり、前記第１メッセージおよび前記第２メッセージはベンダ拡張コマンド（Vendor Specific Commands）であることを特徴とする請求項８に記載の無線通信システム。
【請求項１０】
電子機器が出力する映像信号および音声信号が重畳されたＡＶ信号を無線通信装置が無線通信によって送信する無線通信装置の制御方法であって、
前記無線通信装置は、前記ＡＶ信号を入出力し、動作制御用の各種コマンドを入出力するためのケーブルの一端が挿入される第１レセプタクルと、前記ＡＶ信号の送信および前記各種コマンドの送受信を行う第１無線通信部と、前記無線通信部を駆動するための駆動電源を前記無線通信部に供給する電源コントローラとを具備し、
前記電子機器は、前記ＡＶ信号を入出力し、動作制御用の各種コマンドを入出力するための前記ケーブルの他端が挿入される第２レセプタクルと、前記第２レセプタクルで受信する起動コマンドに応じて起動するか否かを示す設定情報が格納されている記憶装置を具備し、
前記無線通信装置は、前記通信装置が前記無線通信部経由で受信し、前記前記設定情報を示す第２メッセージを取得するための第１メッセージを前記第１レセプタクル経由で前記電子機器に送信し、
前記電子機器は、前記第２レセプタクル経由で受信する第１メッセージに応じて、前記設定情報を示す第２メッセージを前記第２レセプタクル経由で前記無線通信装置に送信し、
前記無線通信装置は、前記第２メッセージが起動することを示している場合に、前記電子機器の電源状態を問い合わせるための第３メッセージを前記第１レセプタクル経由で前記電子機器に送信し、
前記電子機器は、前記第３レセプタクル経由で受信する第１メッセージに応じて、前記電子機器の電源状態を示す第４メッセージを前記第２レセプタクル経由で前記無線通信装置に送信し、
前記無線通信装置は、前記第１レセプタクル経由で受信する前記第４メッセージに基づいて前記電子機器が起動中であるか否かを判断し、起動中ではないと判断した場合に、前記電源コントローラに対して前記無線通信部への前記駆動電源の供給を停止する
ことを特徴とする
無線通信装置の制御方法。
【請求項１１】
前記各種コマンド、第３メッセージ、および第４メッセージはＨＤＭＩ  ＣＥＣ規格によって規格化されており、前記第１メッセージおよび前記第２メッセージはベンダ拡張コマンド（Vendor Specific Commands）であることを特徴とする請求項１０に記載の無線通信装置の制御方法。
【発明の詳細な説明】
【技術分野】
【０００１】
本発明は、省電力化を図った無線通信装置、および無線通信装置の制御方法に関する。
【背景技術】
【０００２】
ＨＤＭＩケーブルによって伝送されていた、映像信号と音声信号とが重畳されるＡＶ信号、機器を制御するためのＣＥＣ信号がミリ波の無線信号で伝送する規格があり、ＡＶ信号およびＣＥＣ信号の伝送を行うための無線通信装置がまもなく登場する予定である。
【０００３】
ところで、ＣＥＣ信号を伝送するためのＨＤＭＩ−ＣＥＣに対応した無線通信装置は、リモート制御でパワーオンする等のＨＤＭＩ−ＣＥＣの仕様を実現するため、無線通信部の電源を落とすことが出来ない。
【０００４】
特許文献１には、狭帯域伝送路で外部機器と接続する第１の接続手段と、広帯域伝送路で外部機器と接続する第２の接続手段とを備え、第１の接続手段で外部機器から送られてくる電源オンのコマンドを受け、第２の接続手段に係る回路への電力供給を開始するＡＶ機器を開示している。
【特許文献１】特開２００８−３４９０７号公報
【発明の開示】
【発明が解決しようとする課題】
【０００５】
上述したように、無線通信部の電源を落とすことができず、省電力化を図れなかった。
【０００６】
本発明の目的は、無線通信部の電源を落とすことができず、省電力化を図ることが可能な無線通信装置および無線通信装置の制御方法を提供することにある。
【課題を解決するための手段】
【０００７】
本発明の一例に係わる無線通信装置は、映像信号および音声信号が重畳されたＡＶ信号を入出力し、動作制御用の各種コマンドを入出力するためケーブルの一端が挿入されるレセプタクルと、前記ＡＶ信号および前記各種コマンドの送受信を行う無線通信部と、前記無線通信部を駆動するための駆動電源を前記無線通信部に供給する電源コントローラと、前記電源コントローラを制御する制御部であって、前記制御部は、前記レセプタクル経由で送受信される拡張コマンドに基づいて、電子機器が受信する起動コマンドに応じて当該電子機器が起動するか否かを示す設定情報を当該電子機器からを取得し、前記設定情報が起動することを示している場合に、前記レセプタクル経由で送受信されるコマンドに基づいて前記電子機器が起動中であるか否かを判断し、起動中ではないと判断した場合に、前記電源コントローラに対して前記無線通信部への前記駆動電源の供給を停止する前記制御部とを具備することを特徴とする。
【発明の効果】
【０００８】
本願発明によれば、無線通信部の電源を落とすことができず、省電力化を図ることが可能になる。
【発明を実施するための最良の形態】
【０００９】
本発明の実施の形態を以下に図面を参照して説明する。
【００１０】
図１は、本発明の一実施形態に係わる、ＨＤＭＩ（High-Definition Multimedia Interface）システムを示す概略図である。
【００１１】
図１に示すように、システムは、ノートブック型パーソナルコンピュータ（電子機器）１０、第１ＷｉｒｅｌｅｓｓＨＤ装置（無線通信装置、第１無線通信装置）２０、第２ＷｉｒｅｌｅｓｓＨＤ装置（第２無線通信装置）３０、およびモニタ（表示装置）４０等を備えている。
【００１２】
コンピュータ１０と第１ＷｉｒｅｌｅｓｓＨＤ装置２０とはＨＤＭＩケーブル５１によって接続されている。第２ＷｉｒｅｌｅｓｓＨＤ装置３０とモニタ４０とがＨＤＭＩケーブル５２によって接続されている。ＨＤＭＩケーブル５１，５２は、ＨＤＭＩ規格に基づいて映像信号および音声信号が重畳されたＡＶ信号を伝送するために用いられる。また、ＨＤＭＩケーブル５１，５２内には、ＨＤＭＩ−ＣＥＣ規格に準拠した信号を伝送するためのＣＥＣラインが設けられている。ＨＤＭＩ−ＣＥＣ規格は、ＨＤＭＩ端子にある１本の端子（ＣＥＣ端子）を介して、ＨＤＭＩ接続機器の制御を相互に行うことができるシリアル通信プロトコルである。
【００１３】
コンピュータ１０は、第１ＷｉｒｅｌｅｓｓＨＤ装置２０の制御およびＡＶ信号の供給元となる。第１ＷｉｒｅｌｅｓｓＨＤ装置２０は、コンピュータ１０または他の装置からＨＤＭＩケーブル５１を介して供給されるＡＶ信号を変調し、変調された信号をミリ波の無線信号を用いて送信する機能を有する。第２ＷｉｒｅｌｅｓｓＨＤ装置３０は、第１ＷｉｒｅｌｅｓｓＨＤ装置２０が送信した信号を受信し、受信した信号を復調することによってＡＶ信号を生成し、モニタ４０にＡＶ信号をＨＤＭＩケーブル５２を介して伝送する。また、第１ＷｉｒｅｌｅｓｓＨＤ装置２０および第２ＷｉｒｅｌｅｓｓＨＤ装置３０は、ＣＥＣラインを介して伝送されるＣＥＣコマンドを送受信する機能を有する。
【００１４】
モニタは表示画面４１およびＨＤＭＩケーブル５２が挿入されるレセプタクル４２を有する。
【００１５】
次に、図２を参照して、第１ＷｉｒｅｌｅｓｓＨＤ装置２０および第２ＷｉｒｅｌｅｓｓＨＤ装置３０の構成を説明する。
【００１６】
図２に示すように、第１ＷｉｒｅｌｅｓｓＨＤ装置２０および第２ＷｉｒｅｌｅｓｓＨＤ装置３０は、ＨＤＭＩレセプタクル１０１、ＨＤＭＩコントローラ１０２、ＣＥＣコントローラ１０３、制御マイコン１０４、電源コントローラ１０５、無線通信部１０６、およびアンテナ１０７等を備えている。
【００１７】
ＨＤＭＩレセプタクル１０１は、ＨＤＭＩケーブルを取り外し自在に接続するために設けられる端子である。そして、ＣＥＣコントローラ１０３は、制御マイコン１０４の制御下で、ＨＤＭＩレセプタクル１０１を介して動作制御用の各種コマンドを送受信するためのデータ転送制御を実行する。
【００１８】
ＨＤＭＩコントローラ１０２は、ＨＤＭＩレセプタクル１０１を経由して受信したＡＶ信号を受信するための処理を実行し、処理後の信号を無線通信部１０６に送る。また、ＨＤＭＩコントローラ１０２は、無線通信部１０６を経由して受信したＡＶ信号をＨＤＭＩレセプタクル１０１に挿入されたＨＤＭＩケーブルに送信するための処理を実行する。
【００１９】
電源コントローラ１０５は制御マイコン１０４の制御の下に無線通信部１０６への駆動電源の供給を制御する。無線通信部１０６は、ＨＤＭＩコントローラ１０２がＨＤＭＩレセプタクル１０１を経由して受信したＡＶ信号を変調してアンテナ１０７からミリ波の無線信号を送信する。また、無線通信部１０６は、ＨＤＭＩレセプタクル１０１がアンテナ１０７を経由して受信した無線信号を復調してＡＶ信号を生成し、ＨＤＭＩコントローラ１０２に渡す。
【００２０】
次に、図３を参照して、電子機器のシステム構成を説明する。図３は、本発明の一実施形態に係わる電子機器のシステム構成を示すブロック図である。この電子機器は、例えばノートブック型パーソナルコンピュータ１０によって実現されている。
【００２１】
図３に示すように、本情報処理装置１は、ＣＰＵ２１１、ノースブリッジ２１２、主メモリ２１３、グラフィックスコントローラ２１４、ＶＲＡＭ２１４Ａ、ディスプレイ２１５、サウスブリッジ２１６、ＢＩＯＳ−ＲＯＭ２１７、ＨＤＤ２１８、光磁気ディスク駆動装置（ＯＤＤ）２１９、サウンドコントローラ２２０、スピーカ２２１、エンベデッドコントローラ／キーボードコントローラ（ＥＣ／ＫＢＣ）２２２、キーボード２２３、タッチパッド２２４、ＴＶチューナ２２５、ＨＤＭＩレセプタクル２２６およびＣＥＣ（機器間双方向制御）コントローラ２２７等を備えている。
【００２２】
ＣＰＵ２１１は、本情報処理装置１内の各部の動作を制御するプロセッサである。ＣＰＵ２１１は、ＨＤＤ２１８から主メモリ２１３にロードされるオペレーティングシステム（ＯＳ）や、このＯＳの制御下で動作する各種プログラムを実行する。ＯＳは、複数のウィンドウを表示画面上に表示するためのウィンドウシステムを有している。また、ＣＰＵ２１１は、ＢＩＯＳ−ＲＯＭ２１７に格納された基本入出力システム（ＢＩＯＳ）も実行する。なお、以下では、このＢＩＯＳ−ＲＯＭ２１７に格納された基本入出力システム自体をＢＩＯＳ２１７と称することがある。
【００２３】
ノースブリッジ２１２は、ＣＰＵ２１１のローカルバスとサウスブリッジ２１６との間を接続するブリッジデバイスである。ノースブリッジ２１２は、バスを介してグラフィックスコントローラ２１４との通信を実行する機能を有しており、また、主メモリ２１３をアクセス制御するメモリコントローラも内蔵されている。グラフィックスコントローラ２１４は、本情報処理装置１側のディスプレイ２１５を制御する表示コントローラである。グラフィックスコントローラ２１４は、ＶＲＡＭ２１４Ａに書き込まれた画像データからディスプレイ２１５に送出すべき映像信号を生成する。グラフィックスコントローラ２１４は、サウンドコントローラによって生成された音声信号および映像信号を重畳したＡＶ信号をＨＤＭＩレセプタクル２２６から外部出力する機能も有している。
【００２４】
サウスブリッジ２１６は、ＰＣＩバスおよびＬＰＣバス上の各種デバイスを制御するコントローラである。また、このサウスブリッジ２１６には、ＢＩＯＳ−ＲＯＭ２１７、ＨＤＤ２１８、ＯＤＤ２１９およびサウンドコントローラ２２０が直接的に接続され、これらを制御する機能も有している。ＨＤＤ２１８には、例えばテレビジョン放送番組データやインターネット経由でダウンロードされたＡＶコンテンツ等が格納され、ＯＤＤ２１９には、ＡＶコンテンツを格納した例えばＨＤ  ＤＶＤ等が収容される。サウンドコントローラ２２０は、スピーカ２２１を制御する音源コントローラである。サウンドコントローラ２２０は、音声信号をＨＤＭＩレセプタクル２２６から外部出力する機能も有している。なお、ＨＤＤ２１８内に格納されているコンテンツの再生データがＨＤＭＩケーブル５１を介して、第１ＷｉｒｅｌｅｓｓＨＤ装置２０に出力される。
【００２５】
ＥＣ／ＫＢＣ２２２は、電力管理のためのエンベデッドコントローラと、キーボード２２３およびタッチパッド２２４を制御するためのキーボードコントローラとが集積された１チップマイクロコンピュータである。また、ＥＣ／ＫＢＣ２２２は、不揮発性メモリ２２３Ａが混載されている。
【００２６】
ＨＤＭＩレセプタクル２２６は、ＨＤＭＩケーブル３を取り外し自在に接続するために設けられる端子である。そして、ＣＥＣコントローラ２２７は、ＥＣ／ＫＢＣ２２２の制御下で、ＨＤＭＩレセプタクル２２６を介して動作制御用の各種コマンドを送受信するためのデータ転送制御を実行する。また、ＣＥＣコントローラ２２７は、起動コマンドを受信した場合、ＥＣ／ＫＢＣ２２２にシステムの起動を要求する機能を有する。
【００２７】
ＴＶチューナ２２５はテレビジョン（ＴＶ）放送信号によって放送される放送番組データを受信する受信装置であり、アンテナ端子２２５Ａに接続されている。このＴＶチューナ２２５は、例えば、地上波デジタルＴＶ放送のようなデジタル放送番組データを受信可能なデジタルＴＶチューナとして実現されている。また、ＴＶチューナ２２５は、外部機器から入力されるビデオデータをキャプチャする機能も有している。
【００２８】
ＷｉｒｅｌｅｓｓＨＤ装置の無線通信部１０６は、原則として常に動作してなければならない。それは、例えばＣＥＣ経由でモニタ４０側からウェイクアップ要求などが来る可能性があり、それを無線でコンピュータ１０に伝送する必要があるからである。
【００２９】
（Ａ）しかし、コンピュータ１０はＣＥＣによるウェイクアップをディセーブルする設定を持つ事が可能であり、それが設定されている場合は無線通信部１０６に電源の供給を取りやめて、無線通信部１０６の機能をオフにても問題はない。
【００３０】
（Ｂ）また、ＣＥＣをサポートするＨＤＭＩデバイスがＷｉｒｅｌｅｓｓＨＤユニットに１台も接続されていない場合は、ウェイクアップの制御もされないため、単純にＨＤＭＩの通信が行われるかどうかで無線通信部１０６の電源をオン／オフする出来る。ＴＭＤＳの通信が行われるかどうかは、ＨＤＭＩの制御ＩＣが持っているＴＭＤＳ信号のリンク検知信号によって知る事が出来る。
【００３１】
上述した技術思想に基づいた無線通信部１０６のオン／オフ制御を行うための処理の手順を図４を参照して説明する。
【００３２】
なお、上述したコンピュータ１０のＥＣ／ＫＢＣ２２２に混載されている不揮発性メモリ２２３Ａには、ウェイクアップ要求に対してシステムを起動するか起動しないかを示す設定情報が格納されている。
【００３３】
第１ＷｉｒｅｌｅｓｓＨＤ装置２０の電源がオンになったら、制御マイコン１０４は、無線通信部１０６を動作させるために、電源コントローラ１０５に対して通信部に電源を供給するように指示する（ステップＳ１１）。そして、制御マイコン１０４はＨＤＭＩ規格１．３ａで定める「＜Ｇｉｖｅ  Ｐｈｙｓｉｃａｌ  Ａｄｄｒｅｓｓ＞」というコマンドを、接続されているＣＥＣ機器にポーリングする。ポーリングは、接続の確実性を向上させるために、例えば５回繰り返して行う。ポーリングを実行した論理アドレスにＣＥＣに対応する機器が接続されていると、ＣＥＣに対応する機器はポーリングに対する応答として物理アドレスおよびデバイスネームを第１ＷｉｒｅｌｅｓｓＨＤ装置２０に送信する。
【００３４】
制御マイコン１０４は、ＨＤＭＩレセプタクル１０１にＣＥＣに対応した機器が接続されているか否かを判別する（ステップＳ１２）。この処理を行うために、制御マイコン１０４は、応答として物理アドレスおよびデバイスネームを返してきた機器の有無を判別する。応答を返してきた機器がない場合に、制御マイコン１０４は、ＣＥＣに対応した機器が接続されていないと判断する。応答を返してきた機器がある場合、応答を返した機器の物理アドレスに基づいて、ＨＤＭＩレセプタクル１０１にＣＥＣに対応する機器が接続されているか否かを判別する。例えば、第１ＷｉｒｅｌｅｓｓＨＤ装置２０に物理アドレス（１．３．０．０．）が割り当てられとする。応答を返した機器の物理アドレスが（１．３．Ｘ．Ｘ．）であれば、応答を返した機器の物理アドレスは、第１ＷｉｒｅｌｅｓｓＨＤ装置２０に接続されている機器であると判断することができる。応答を返した機器の物理アドレスが（１．３．Ｘ．Ｘ．）以外で有れば、ＨＤＭＩレセプタクル１０１にＣＥＣに対応する機器が接続されていないと判断することができる。
【００３５】
接続されていないと判断した場合（ステップＳ１２のＮｏ）、制御マイコン１０４は、ＨＤＭＩリンクがあるか無いか、すなわちＴＭＤＳ通信を行っているか否かを判別する（ステップＳ１３）。ＨＤＭＩリンクがあると判断した場合（ステップＳ１３のＹｅｓ）、制御マイコン１０４、無線通信部１０６が動作した状態にしておいて、ステップＳ１２に戻る。ＨＤＭＩリンクが無いと判断した場合（ステップＳ１３のＮｏ）、制御マイコン１０４は、無線通信部１０６の動作を停止させるために、電源コントローラ１０５に対して無線通信部１０６への駆動電源の供給を停止するように指示する（ステップＳ２１）。
【００３６】
ステップＳ１２において、接続されていると判断した場合（ステップＳ１２のＹｅｓ）、制御マイコン１０４は、ウェイクアップ要求に対する動作を示す設定情報を格納し、設定情報を送信することができるコンピュータ１０が接続されているか否かを判別する（ステップＳ１４）。例えば、制御マイコン１０４は、ＣＥＣコントローラ１０３を用いて、接続されている機器のベンダＩＤの送信を指示するための＜Ｇｉｖｅ  Ｄｅｖｉｃｅ  Ｖｅｎｄｏｒ  ＩＤ＞メッセージをＨＤＭＩレセプタクル１０１からＨＤＭＩケーブル５１に送信する。＜Ｇｉｖｅ  Ｄｅｖｉｃｅ  Ｖｅｎｄｏｒ  ＩＤ＞メッセージを受信した機器は、応答としてベンダＩＤを含む＜Ｄｅｖｉｃｅ  Ｖｅｎｄｏｒ  ＩＤ＞メッセージを返す。制御マイコン１０４は、自機に割り当てられているベンダＩＤと応答に含まれるベンダＩＤとが一致するか否かを判別する。ベンダＩＤが一致しない場合、設定情報を送信することができるコンピュータ１０が接続されていないと判断する。ベンダＩＤが一致する場合、設定情報の送信を指示するためのベンダ拡張コマンド（メッセージ）を送信する。このベンダ拡張コマンドに対して設定情報を含むベンダ拡張コマンド（メッセージ）が有れば、設定情報を送信することができるコンピュータ１０が接続されていると判断する。このベンダ拡張コマンドに対して設定情報を含むベンダ拡張コマンド（メッセージ）が無ければ、設定情報を送信することができるコンピュータ１０が接続されていないと判断する。
【００３７】
コンピュータ１０が接続されていないと判断した場合（ステップＳ１４のＮｏ）、制御マイコン１０４は、無線通信部１０６が動作した状態にしておいて、ステップＳ１２に戻る。コンピュータ１０が接続されていると判断した場合（ステップＳ１４のＹｅｓ）、制御マイコン１０４は、コンピュータ１０をパワーオンするためのＣＥＣウェイクアップの設定が禁止であるか否かを判別するための処理を実行する（ステップＳ１５）。ここで、先に受信したベンダ拡張コマンドに対して設定情報を含むベンダ拡張コマンド（メッセージ）を参照してＣＥＣウェイクアップの設定が禁止であるか否かを判別する。
【００３８】
ＣＥＣウェイクアップの設定が禁止ではないと判断した場合（ステップＳ１５のＮｏ）、制御マイコン１０４は、無線通信部１０６が動作した状態にしておいて、ステップＳ１２に戻る。ＣＥＣウェイクアップの設定が禁止であると判断した場合（ステップＳ１５のＹｅｓ）、制御マイコン１０４は、コンピュータ１０のシステムは動作中であるか否かを判別する（ステップＳ１６）。制御マイコン１０４は、コンピュータ１０に対して＜Ｄｅｖｉｃｅ  Ｐｏｗｅｒ  Ｓｔａｔｕｓ＞メッセージを送信し、コンピュータ１０からの応答メッセージに応じてシステムが動作中であるか否かを判別する。＜Ｄｅｖｉｃｅ  Ｐｏｗｅｒ  Ｓｔａｔｕｓ＞メッセージおよびその応答メッセージはＨＤＭＩ規格１．３ａで定められているコマンドである。
【００３９】
動作中であると判断した場合（ステップＳ１６のＹｅｓ）、制御マイコン１０４は、コンピュータ１０が無線通信部１０６を用いて通信を行う可能性があるので、無線通信部１０６が動作した状態にしておいて、ステップＳ１２に戻る。動作中では無いと判断した場合（ステップＳ１６のＮｏ）、無線通信部１０６の動作を停止させるために、電源コントローラ１０５に対して無線通信部１０６への駆動電源の供給を停止するように指示する（ステップＳ２１）。
【００４０】
無線通信部１０６を停止させた後、制御マイコン１０４は、ステップＳ１１と同様にＨＤＭＩレセプタクル１０１にＣＥＣに対応した機器が接続されているか否かを判別する（ステップＳ２２）。接続されていないと判断した場合、制御マイコン１０４は、ステップＳ１３と同様にＨＤＭＩリンクがあるか否かを判別する（ステップＳ２３）。ＨＤＭＩリンクがないと判断した場合、制御マイコン１０４は、無線通信部１０６の動作を停止した状態にしておいて、ステップＳ２２に戻る。ＨＤＭＩリンクがあると判断した場合（ステップＳ２３のＹｅｓ）、制御マイコン１０４は、無線通信部１０６の動作を再開させるために、電源コントローラ１０５に対して無線通信部１０６への駆動電源の供給を開始するように指示する（ステップＳ１１）。
【００４１】
ステップＳ２２において、ＣＥＣに対応する機器が接続されていると判断した場合、制御マイコン１０４は、ステップＳ１４と同様に、コンピュータ１０が接続されているか否かを判別する（ステップＳ２４）。コンピュータ１０が接続されていないと判断した場合（ステップＳ２４のＮｏ）、制御マイコン１０４は、通信部の動作を再開させるために、電源コントローラに対して無線通信部１０６への駆動電源の供給を開始するように指示する（ステップＳ１１）。コンピュータ１０が接続されていると判断した場合（ステップＳ２４のＹｅｓ）、制御マイコン１０４は、コンピュータ１０のＣＥＣウェイクアップの設定が禁止であるか否かを判別するための処理を実行する（ステップＳ２５）。
【００４２】
ＥＣウェイクアップの設定が禁止では無いと判断した場合（ステップＳ２５のＹｅｓ）、制御マイコン１０４は、無線通信部１０６の動作を再開させるために、電源コントローラ１０５に対して無線通信部１０６への駆動電源の供給を開始するように指示する（ステップＳ１１）。
【００４３】
ＣＥＣウェイクアップの設定が禁止ではあると判断した場合（ステップＳ２５のＹｅｓ）制御マイコン１０４は、コンピュータ１０のシステムは動作中であるか否かを判別する（ステップＳ２６）。動作中であると判断した場合（ステップＳ２６のＹｅｓ）、制御ＩＣは、通信部の動作を再開させるために、電源コントローラに対して無線通信部１０６への駆動電源の供給を開始するように指示する（ステップＳ１１）。動作中では無いと判断した場合（ステップＳ２６のＮｏ）、無線通信部１０６の動作を停止した状態にしておいて、ステップＳ２２に戻る。
【００４４】
以上説明した手順で、第１ＷｉｒｅｌｅｓｓＨＤ装置２０の無線通信部１０６の動作を停止して良い場合に、無線通信部１０６の動作を停止することができ、第１ＷｉｒｅｌｅｓｓＨＤ装置２０の省電力化を図ることが可能になる。また、停止後、必要な時に無線通信部１０６の動作を開始することができる。
【００４５】
なお、本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００４６】
【図１】本発明の一実施形態に係わるＨＤＭＩシステムの構成を示す図。
【図２】図１に示す、第１ＷｉｒｅｌｅｓｓＨＤ装置および第２ＷｉｒｅｌｅｓｓＨＤ装置の構成を示す図。
【図３】図１に示すノートブック型パーソナルコンピュータの構成を示す図。
【図４】図２に示す第１ＷｉｒｅｌｅｓｓＨＤ装置が、無線通信部に供給する駆動電源を制御するための処理の手順を示すフローチャート。
【符号の説明】
【００４７】
１０…ノートブック型パーソナルコンピュータ，２０…第１ＷｉｒｅｌｅｓｓＨＤ装置，３０…第２ＷｉｒｅｌｅｓｓＨＤ装置，４０…モニタ，４１…表示画面，４２…レセプタクル，５１…ＨＤＭＩケーブル，５２…ＨＤＭＩケーブル，１０１…ＨＤＭＩレセプタクル，１０２…ＨＤＭＩコントローラ，１０３…ＣＥＣコントローラ，１０４…制御マイコン，１０５…電源コントローラ，１０６…無線通信部，１０７…アンテナ。
【図１】
2010154340.tif 000003
【図２】
2010154340.tif 000004
【図３】
2010154340.tif 000005
【図４】
2010154340.tif 000006
【手続補正書】
【提出日】平成22年2月12日(2010.2.12)
【手続補正１】
【補正対象書類名】特許請求の範囲
【補正対象項目名】全文
【補正方法】変更
【補正の内容】
【特許請求の範囲】
【請求項１】
映像信号および音声信号が重畳されたＡＶ信号を入出力し、動作制御用の各種コマンドを入出力するためケーブルの一端が挿入されるレセプタクルと、
前記ＡＶ信号および前記各種コマンドの送受信を行う無線通信部と、
前記無線通信部を駆動するための駆動電源を前記無線通信部に供給する電源コントローラと、
前記電源コントローラを制御する制御部であって、前記レセプタクル経由で送受信される拡張コマンドに基づいて、電子機器が受信する起動コマンドに応じて当該電子機器が起動するか否かを示す設定情報を当該電子機器から取得し、前記設定情報が起動することを示している場合に、前記レセプタクル経由で送受信されるコマンドに基づいて前記電子機器が起動中であるか否かを判断し、起動中ではないと判断した場合に、前記電源コントローラに対して前記無線通信部への前記駆動電源の供給の停止を指示する制御部と
を具備することを特徴とする無線通信装置。
【請求項２】
前記制御部が前記駆動電源の供給の停止を指示した後、
前記制御部は、
前記レセプタクル経由で送受信される各種コマンドに基づいて前記電子機器が各種コマンドを送受信できるか否かを判別し、
各種コマンドを送受信できないと判断した場合に、前記電源コントローラに対して前記無線通信部への前記駆動電源の供給を開始するように指示することを特徴とする請求項１に記載の無線通信装置。
【請求項３】
前記制御部は、
各種コマンドを送受信できると判断した場合に、前記起動コマンドに応じて前記電子機器が起動するか否かを示す設定情報を前記レセプタクル経由で送受信される前記拡張コマンドに基づいて検出し、
起動する設定になっていないことを検出した場合に、前記電源コントローラに対して前記無線通信部への前記駆動電源の供給を開始するように指示することを特徴とする請求項２に記載の無線通信装置。
【請求項４】
前記制御部は、
起動する設定になっていることを検出した場合に、前記レセプタクル経由で送受信されるコマンドに基づいて前記電子機器が起動中であるか否かを判断し、
起動中であると判断した場合に前記電源コントローラに対して前記無線通信部への前記駆動電源の供給を開始するように指示することを特徴とする請求項３に記載の無線通信装置。
【請求項５】
前記各種コマンドはＨＤＭＩ  ＣＥＣ規格によって規格化されているコマンドであり、前記拡張コマンド群はベンダ拡張コマンド（Vendor Specific Commands）であることを特徴とする請求項１乃至請求項４の何れか１項に記載の無線通信装置。
【請求項６】
無線通信装置に接続される電子機器であって、
映像信号および音声信号が重畳されたＡＶ信号を入出力し、動作制御用の各種コマンドを入出力するためケーブルの一端が挿入されるレセプタクルと、
前記レセプタクル経由で受信する起動コマンドに応じて起動するか否かを示す設定情報が格納されている記憶装置と、
前記レセプタクル経由で受信する第１メッセージに応じて、前記設定情報を前記第１メッセージの送信元に第２メッセージを用いて送信し、前記レセプタクル経由で受信する前記電子機器の電源状態を確認するためのメッセージに応じて、当該電子機器の電源状態を示すメッセージを送信する送信手段と
を具備することを特徴とすることを特徴とする電子機器。
【請求項７】
前記各種コマンドはＨＤＭＩ  ＣＥＣ規格によって規格化されているコマンドであり、前記第１メッセージおよび前記第２メッセージはベンダ拡張コマンド（Vendor Specific Commands）であることを特徴とする請求項６に記載の電子機器。
【請求項８】
電子機器が出力する映像信号および音声信号が重畳されたＡＶ信号を第１無線通信装置が無線通信によって送信し、送信された信号を受信した第２無線通信装置が当該ＡＶ信号を表示装置に出力する無線通信システムであって、
前記第１無線通信装置は、
前記ＡＶ信号が入力され、動作制御用の各種コマンドを入出力するため第１ケーブルの一端が挿入される第１レセプタクルと、
前記ＡＶ信号の送信および前記各種コマンドの送受信を行う第１無線通信部と、
前記第１無線通信部を駆動するための駆動電源を前記第１無線通信部に供給する電源コントローラと、
前記電源コントローラを制御する制御部であって、前記第１レセプタクル経由で送信する第１メッセージに基づいて前記電子機器が送信する、当該電子機器が受信する起動コマンドに応じて当該電子機器が起動するか否かを示す第２メッセージを取得し、前記第２メッセージが起動することを示している場合に、前記第１レセプタクル経由で送受信されるコマンドに基づいて前記電子機器が起動中であるか否かを判断し、起動中ではないと判断した場合に、前記電源コントローラに対して前記第１無線通信部への前記駆動電源の供給の停止を指示する制御部と
を具備し、
前記電子機器は、
前記ＡＶ信号を出力し、動作制御用の各種コマンドを入出力するための前記第１ケーブルの他端が挿入される第２レセプタクルと、
前記第２レセプタクルで受信する起動コマンドに応じて起動するか否かを示す設定情報が格納されている記憶装置と、
前記第２レセプタクル経由で各種コマンドを入出力するための制御部であって、前記第２レセプタクル経由で受信する第１メッセージに応じて、前記設定情報を前記第１メッセージの送信元に第２メッセージを用いて送信し、前記第２レセプタクル経由で受信する当該電子機器の電源状態を確認するためのコマンドに応じて、当該電子機器の電源状態を示すコマンドを用いて送信する制御部とを具備し、
前記第２無線通信装置は
前記ＡＶ信号の受信および前記各種コマンドの送受信を行う第２無線通信部と、
前記ＡＶ信号を出力し、前記各種コマンドを入出力するための第２ケーブルの一端が挿入される第３レセプタクルと、
を具備し、
前記表示装置は
前記ＡＶ信号が入力され、前記起動コマンドの出力、および前記各種コマンドを入出力するための前記第２ケーブルの他端が挿入される第４レセプタクルと、
前記ＡＶ信号に含まれる映像信号に応じた動画像を表示する表示画面と
を具備することを特徴とする無線通信システム。
【請求項９】
前記各種コマンドはＨＤＭＩ  ＣＥＣ規格によって規格化されているコマンドであり、前記第１メッセージおよび前記第２メッセージはベンダ拡張コマンド（Vendor Specific Commands）であることを特徴とする請求項８に記載の無線通信システム。
【請求項１０】
電子機器が出力する映像信号および音声信号が重畳されたＡＶ信号を無線通信装置が無線通信によって送信する無線通信装置の制御方法であって、
前記無線通信装置は、前記ＡＶ信号を入出力し、動作制御用の各種コマンドを入出力するためのケーブルの一端が挿入される第１レセプタクルと、前記ＡＶ信号の送信および前記各種コマンドの送受信を行う無線通信部と、前記無線通信部を駆動するための駆動電源を前記無線通信部に供給する電源コントローラとを具備し、
前記電子機器は、前記ＡＶ信号を入出力し、動作制御用の各種コマンドを入出力するための前記ケーブルの他端が挿入される第２レセプタクルと、前記第２レセプタクルで受信する起動コマンドに応じて起動するか否かを示す設定情報が格納されている記憶装置を具備し、
無線通信装置の制御方法は、
前記設定情報を示す第２メッセージを取得するための第１メッセージを前記第１レセプタクル経由で前記無線通信装置から前記電子機器に送信し、
前記第２レセプタクル経由で受信する前記第１メッセージに応じて、前記設定情報を示す前記第２メッセージを前記第２レセプタクル経由で前記電子機器から前記無線通信装置に送信し、
前記第２メッセージが起動することを示している場合に、前記電子機器の電源状態を問い合わせるための第３メッセージを前記第１レセプタクル経由で前記無線通信装置から前記電子機器に送信し、
前記第３レセプタクル経由で受信する第３メッセージに応じて、前記電子機器の電源状態を示す第４メッセージを前記第２レセプタクル経由で前記電子機器から前記無線通信装置に送信し、
前記第１レセプタクル経由で受信する前記第４メッセージに基づいて前記電子機器が起動中であるか否かを判断し、起動中ではないと判断した場合に、前記電源コントローラに対して前記無線通信部への前記駆動電源の供給の停止を指示する
ことを特徴とする
無線通信装置の制御方法。
【請求項１１】
前記各種コマンド、第３メッセージ、および第４メッセージはＨＤＭＩ  ＣＥＣ規格によって規格化されており、前記第１メッセージおよび前記第２メッセージはベンダ拡張コマンド（Vendor Specific Commands）であることを特徴とする請求項１０に記載の無線通信装置の制御方法。
【手続補正２】
【補正対象書類名】明細書
【補正対象項目名】０００７
【補正方法】変更
【補正の内容】
【０００７】
本発明の一例に係わる認証処理装置は、映像信号および音声信号が重畳されたＡＶ信号を入出力し、動作制御用の各種コマンドを入出力するためケーブルの一端が挿入されるレセプタクルと、前記ＡＶ信号および前記各種コマンドの送受信を行う無線通信部と、前記無線通信部を駆動するための駆動電源を前記無線通信部に供給する電源コントローラと、前記電源コントローラを制御する制御部であって、前記レセプタクル経由で送受信される拡張コマンドに基づいて、電子機器が受信する起動コマンドに応じて当該電子機器が起動するか否かを示す設定情報を当該電子機器から取得し、前記設定情報が起動することを示している場合に、前記レセプタクル経由で送受信されるコマンドに基づいて前記電子機器が起動中であるか否かを判断し、起動中ではないと判断した場合に、前記電源コントローラに対して前記無線通信部への前記駆動電源の供給を停止する制御部とを具備することを特徴とする。